(57)【特許請求の範囲】
【請求項１】
表示部を有する第１の筐体と、操作部を有する第２の筐体とを有する携帯型情報処理装置において、
前記表示部と前記操作部が対向して閉じられた第１の状態と、開かれた第２の状態とを取り得るように、前記第１の筐体と前記第２の筐体を、第１の方向に延在する第１の軸を中心として回動自在に支持する第１のヒンジと、
前記表示部と前記操作部が対向して閉じられた第１の状態と、開かれた第３の状態とを取り得るように、前記第１の筐体と前記第２の筐体を、前記第１の方向と垂直な第２の方向に延在する第２の軸を中心として回動自在に支持する第２のヒンジと、
前記第１の筐体と前記第２の筐体を、前記第１の状態においてロックする第１のロック機構と第２のロック機構と
を備え、
前記第１のロック機構は、前記第１の筐体を前記第１の状態から前記第２の状態に回動するとき、そのロックが解除され、
前記第２のロック機構は、前記第１の筐体を前記第１の状態から前記第３の状態に回動するとき、そのロックが解除される
携帯型情報処理装置。
【請求項２】
前記第１の筐体と前記第２の筐体が、前記第１の状態から、前記第２の状態と前記第３の状態のいずれの状態に回動されたのかを検出する状態検出手段を
さらに備える請求項１に記載の携帯型情報処理装置。
【請求項３】
前記操作部は、操作を検出する複数の操作検出部と、前記操作検出部に関する情報を表示する検出部情報表示部とで構成され、
前記状態検出手段による検出結果に基づいて、前記検出部情報表示部における前記操作検出部に関する情報の表示を制御する制御手段を
さらに備える請求項２に記載の携帯型情報処理装置。
【請求項４】
前記状態検出手段による検出結果に基づいて、前記携帯型情報処理装置のモードを設定するモード設定手段を
さらに備える請求項２に記載の携帯型情報処理装置。
【請求項５】
前記携帯型情報処理装置は、音声による通話を行う通話機能と、文字によるメールを送信又は受信するメール機能とを有し、
前記モード設定手段は、前記第１の筐体と前記第２の筐体が、前記第１の状態から前記第２の状態に回動されたとき、前記通話機能を実行する通話モードを設定し、前記第１の状態から前記第３の状態に回動されたとき、前記メール機能を実行するメールモードを設定する
請求項４に記載の携帯型情報処理装置。
【請求項６】
前記第１のヒンジは、前記第１の筐体が前記第１の状態から前記第３の状態に回動するとき、前記第２のヒンジの前記第２の軸を中心として、前記第１の筐体とともに回動する
請求項１に記載の携帯型情報処理装置。
【請求項７】
前記第１のロック機構は、前記第１の筐体と前記第２のヒンジとの間に設けられ、
前記第２のロック機構は、前記第１のヒンジと前記第２の筐体との間に設けられている
請求項１に記載の携帯型情報処理装置。
【発明の詳細な説明】
【０００１】
【発明の属する技術分野】
本発明は、携帯型情報処理装置に関し、特に、開閉可能な携帯型の情報処理装置において、複数の方向に開閉することにより、例えば、メールを読み書きする場合など、用途に応じて使いやすくするようにした携帯型情報処理装置に関する。
【０００２】
【従来の技術】
最近、携帯電話機の高機能化や多機能化が進み、携帯電話機を使用して、通話だけでなく、電子メールやゲームなど、いろいろなアプリケーションが利用されるようになってきた。
【０００３】
また、携帯電話機の種類も増えてきており、特に、表示部と操作部とをヒンジで結合させた開閉可能な折りたたみタイプの携帯電話機が好まれている傾向にある。この折りたたみタイプの携帯電話機は、通話しやすいように、開いたときに、縦長になるのが一般的である。
【０００４】
【発明が解決しようとする課題】
そこで、通話がメインの機能である携帯電話機において、メールを読み書きする場合、縦長に開くことになり、文字を入力したり、入力した文章、または受信した文章を見るのが横長の場合に比べて不便になる課題があった。
【０００５】
本発明は、このような状況に鑑みてなされたものであり、開閉可能な携帯型の情報処理装置において、複数の方向に開閉することにより、例えば、メールを読み書きする場合など、用途に応じて使いやすいようにするものである。
【０００６】
【課題を解決するための手段】
本発明の携帯型情報処理装置は、表示部と操作部が対向して閉じられた第１の状態と、開かれた第２の状態とを取り得るように、第１の筐体と第２の筐体を、第１の方向に延在する第１の軸を中心として回動自在に支持する第１のヒンジと、表示部と操作部が対向して閉じられた第１の状態と、開かれた第３の状態とを取り得るように、第１の筐体と第２の筐体を、第１の方向と垂直な第２の方向に延在する第２の軸を中心として回動自在に支持する第２のヒンジと、第１の筐体と第２の筐体を、第１の状態においてロックする第１のロック機構と第２のロック機構とを備え、第１のロック機構は、第１の筐体を第１の状態から第２の状態に回動するとき、そのロックが解除され、第２のロック機構は、第１の筐体を第１の状態から第３の状態に回動するとき、そのロックが解除される。
【０００７】
第１の筐体と第２の筐体が、第１の状態から、第２の状態と第３の状態のいずれの状態に回動されたのかを検出する状態検出手段をさらに備えるようにすることができる。
【０００８】
操作部は、操作を検出する複数の操作検出部と、操作検出部に関する情報を表示する検出部情報表示部とで構成され、状態検出手段による検出結果に基づいて、検出部情報表示部における操作検出部に関する情報の表示を制御する制御手段をさらに備えるようにすることができる。
【０００９】
状態検出手段による検出結果に基づいて、携帯型情報処理装置のモードを設定するモード設定手段をさらに備えるようにすることができる。
【００１０】
携帯型情報処理装置は、音声による通話を行う通話機能と、文字によるメールを送信又は受信するメール機能とを有し、モード設定手段は、第１の筐体と第２の筐体が、第１の状態から第２の状態に回動されたとき、通話機能を実行する通話モードを設定し、第１の状態から第３の状態に回動されたとき、メール機能を実行するメールモードを設定するようにすることができる。
【００１１】
第１のヒンジは、第１の筐体が第１の状態から第３の状態に回動するとき、第２のヒンジの第２の軸を中心として、第１の筐体とともに回動するようにすることができる。
【００１３】
第１のロック機構は、第１の筐体と第２のヒンジとの間に設けられ、第２のロック機構は、第１のヒンジと第２の筐体との間に設けられているようにすることができる。
【００１４】
本発明の携帯型情報処理装置においては、第１のヒンジにより、表示部と操作部が対向して閉じられた第１の状態と、開かれた第２の状態とを取り得るように、第１の筐体と第２の筐体が、第１の方向に延在する第１の軸を中心として回動自在に支持され、第２のヒンジにより、表示部と操作部が対向して閉じられた第１の状態と、開かれた第３の状態とを取り得るように、第１の筐体と第２の筐体が、第１の方向と垂直な第２の方向に延在する第２の軸を中心として回動自在に支持される。そして、第１のロック機構と第２のロック機構により、第１の筐体と第２の筐体が、第１の状態においてロックされ、第１の筐体を第１の状態から第２の状態に回動するとき、第１のロック機構のロックが解除され、第１の筐体を第１の状態から第３の状態に回動するとき、第２のロック機構のロックが解除される。
【００１５】
【発明の実施の形態】
図１は、本発明を適用した携帯電話機の外観の構成例を示す図である。
【００１６】
携帯電話機は、表示部４を有する上部筐体１、操作部７を有する下部筐体２、および、上部筐体１と下部筐体２を結合するためのヒンジ３ａおよびヒンジ３ｂで構成される。図１は、分解された状態を示しているが、これらは後述する図２に示されるように組み立てられる。
【００１７】
上部筐体１は、表示部４、スピーカ５、アンテナ６、軸通し部（孔）１２ａおよびロックツメ１３ｂを有している。表示部４は、ＬＣＤ(Liquid Crystal Display)などの薄型の表示装置で構成され、文字や画像を表示する。表示部４の上方のスピーカ５は、受話音声を出力する。上部筐体１の上端面右側に伸縮自在に設けられているアンテナ６は、図示せぬ基地局との無線通信を行う。
【００１８】
下部筐体２は、操作部７、マイクロフォン８、操作ボタン９、軸通し部（孔）１２ｂおよびロック穴１４ａを有している。操作部７は、ＬＣＤ３６（後述する図３）などの薄型の表示装置と、その上側に配置されている透明なタッチパッド３７（後述する図３）で構成される。操作部７の下方のマイクロフォン８は、送話音声を入力する。操作部７の上方の操作ボタン９は、受信および送信履歴の呼び出し、電話帳表示あるいは電源オンオフを指示するための操作ボタンであり、この説明では３つ設けられているが、個数は任意である。
【００１９】
ヒンジ３ａは、軸１１ａを有し、図１において、その右側の下面に、ロックツメ１３ａが形成されている。ヒンジ３ｂは、軸１１ｂを有し、図１において、その下方の上面に、ロック穴１４ｂが形成されている。軸１１ａは、上部筐体１の軸通し部（孔）１２ａに通され、上部筐体１を回動自在に支持する。軸１１ｂは、下部筐体２の軸通し部（孔）１２ｂに通され、下部筐体２を回動自在に支持する。ヒンジ３ａおよびヒンジ３ｂは、直交するように結合されている。
【００２０】
さらに、上部筐体１と下部筐体２が、その表示部４と操作部７が対向するように閉じられると、ヒンジ３ａのロックツメ１３ａは、下部筐体２のロック穴１４ａに挿通され、ロックツメ１３ａの弾性力に基づいてロックされるようになっており、上部筐体１のロックツメ１３ｂは、ヒンジ３ｂのロック穴１４ｂに挿通され、ロックツメ１３ｂの弾性力に基づいてロックされるようになっている。これにより、上部筐体１と下部筐体２が、不用意に開放される動作が抑制される。
【００２１】
軸通し部（孔）１２ａは、内部に、板バネ等の弾性変形する押圧部（図示せず）を有しており、この押圧部が軸１１ａの外周を押圧している。上部筐体１が所定の角度まで回動されると、押圧部が軸１１ａの平面部１５ａを押圧する。その結果、上部筐体１はその位置で安定した状態となる。
【００２２】
同様に、軸通し部（孔）１２ｂの内部の押圧部が、軸１１ｂの中央に形成されている平面部１５ｂに当接した状態になったとき、下部筐体２はその位置で安定する。これにより、上部筐体１と下部筐体２を回動して、好ましい位置に停止させることが容易となる。
【００２３】
なお、以下、ヒンジ３ａおよび３ｂ、軸１１ａおよび１１ｂ、軸通し部１２ａおよび１２ｂ、ロックツメ１３ａおよび１３ｂ、ロック穴１４ａおよび１４ｂ、並びに平面部１５ａおよび１５ｂを個々に区別する必要がない場合、単にヒンジ３、軸１１、軸通し部１２、ロックツメ１３、ロック穴１４、並びに平面部１５と称する。
【００２４】
次に、図２を参照して、携帯電話機の使用例を説明する。
【００２５】
ユーザが携帯電話機を使用しない場合、携帯電話機は、図２Ａに示されるように、上部筐体１の表示部４と下部筐体２の操作部７が対向するように閉じられている。
【００２６】
携帯電話機を使用して通話する場合、ユーザは、ロックツメ１３ｂの弾性力に抗して、図２Ｂに示されるように、ヒンジ３ａの軸１１ａを中心にして上部筐体１を下部筐体２から離れる方向に回動させ、上部筐体１および下部筐体２が縦長になるように開かせる。このとき、縦センサ３８（図３）は、この携帯電話機が縦長に開かれたことを検知し、ＣＰＵ３３（図３）に通知する。ＣＰＵ３３は、このとき、通話モードを設定する。
【００２７】
このように、携帯電話機を縦長に開放した状態は、スピーカ５を耳にあて、マイクロフォン８を口もとに添えて通話を行うユーザにとって、通話しやすい状態である。
【００２８】
一方、携帯電話機を使用してメールを送受信する場合、ユーザは、ロックツメ１３ａの弾性力に抗して、図２Ｃに示されるように、ヒンジ３ｂの軸１１ｂを中心にして上部筐体１を回動させ、上部筐体１および下部筐体２が横長になるように開かせる。このとき、ヒンジ３ａは、上部筐体１と一体的に回動する。このとき、横センサ３９（図３）は、この携帯電話機が、横長に開かれたことを検知し、ＣＰＵ３３に通知する。ＣＰＵ３３は、このとき、メールモードを設定する。
【００２９】
このように、携帯電話機を横長に開放した状態は、文字が読みやすく、手に持ちやすいので、ユーザがメールを読み書きするのに適した状態である。
【００３０】
図３は、図１に示された携帯電話機の電気的な構成例を示すブロック図である。
【００３１】
上部筐体１は、表示部４、スピーカ５、アンテナ６、通信部３１および表示制御部３２で構成され、下部筐体２は、操作部７（ＬＣＤ３６およびタッチパッド３７で構成される）、マイクロフォン８、操作ボタン９、ＣＰＵ３３、ＤＳＰ(Digital Signal Processor)３４およびメモリ３５で構成される。縦センサ３８は、上部筐体１のロックツメ１３ｂがヒンジ３ｂのロック穴１４ｂに挿通されたとき、それを検知するように、ヒンジ３ｂ内に設けられている。同様に、横センサ３８は、ヒンジ３ａのロックツメ１３ａが下部筐体２のロック穴１４ａに挿通されたとき、それを検知するように、下部筐体２内に設けられている。そして、その４つのユニットは、バス４０で相互に接続されている。
【００３２】
通信部３１は、アンテナ６を介して、図示せぬ基地局との無線通信を行う。表示制御部３２は、ＣＰＵ３３からの指示に基づいて、表示部４の表示を制御する。
【００３３】
ＣＰＵ３３は、ユーザによる操作ボタン９の操作、または操作部７のタッチパッド３７に対する操作に基づいて、この携帯電話機の全体の制御を行う。また、ＣＰＵ３３は、縦センサ３８および横センサ３９から検出されるオンオフの信号（ロック状態の検出信号）に基づいて、表示方向の判定処理を行い、その結果に基づいて、モードを設定し、表示制御部３２と操作部７のＬＣＤ３６に表示方向を指示する。
【００３４】
ＤＳＰ３４は、各種高速演算処理を行い、メモリ３５は、ユーザにより、操作部７を介して入力された電話帳または住所録のデータ、あるいは受信および送信履歴などを記憶する。
【００３５】
操作部７のＬＣＤ３６は、ＣＰＵ３３の指示に基づいて操作キーを表示する。ＬＣＤ３６の上側に配置されるタッチパッド３７は、ユーザの操作位置に対応する座標を検出し、ＣＰＵ３３に出力する。ＣＰＵ３３は、ＬＣＤ３６に表示された操作キーの座標とタッチパッド３７により検出された座標とを比較することで、いずれの操作キーがユーザにより操作されたのか判定する。ＣＰＵ３３は、各操作キーに、所定の機能を割り当てる（図９と図１０を参照して後述する）。従って、ユーザは、タッチパッド３７を指またはペンなどで押圧することにより、電話番号や文字などを入力することができる。
【００３６】
縦センサ３８は、例えば、マイクロスイッチにより構成され、上部筐体１のロックツメ１３ｂがヒンジ３ｂのロック穴１４ｂに挿通されているとき、すなわち、ロックされているとき、ロックツメ１３ｂにより押圧され、オンとなる。上部筐体１のロックツメ１３ｂがヒンジ３ｂのロック穴１４ｂから外れると、すなわち、ロック解除されると、ロックツメ１３ｂによる押圧が解除され、縦センサ３８（マイクロスイッチ）は、オフの状態になる。
【００３７】
同様に、横センサ３９もマイクロスイッチにより構成され、ヒンジ３ａのロックツメ１３ａが下部筐体２のロック穴１４ａに挿通されているとき、すなわち、ロックされているとき、横センサ３９は、オンとなり、ヒンジ３ａのロックツメ１３ａが下部筐体２のロック穴１４ａから外れているとき、すなわち、ロック解除されているとき、オフとなる。
【００３８】
次に図４のフローチャートを参照して、ＣＰＵ３３の表示方向判定処理を説明する。
【００３９】
なお、この処理は、携帯電話機に電源が入れられたとき開始される。
【００４０】
ステップＳ１において、ＣＰＵ３３は、縦センサ３８がオフしたか否か（上部筐体１が下部筐体２に対して閉じられた状態から、ヒンジ３ａの軸１１ａを中心にして、下部筐体２から離れる方向に開放されたか否か）を判断し、縦センサ３８がオフしたと判断した場合、ステップＳ２に進む。
【００４１】
ステップＳ２において、ＣＰＵ３３は、横センサ３９がオフしたか否か（上部筐体１がヒンジ３ｂの軸１１ｂを中心にして、下部筐体２から離れる方向に開放されたか否か）を判断する。
【００４２】
ＣＰＵ３３は、ステップＳ２において、横センサ３９がオフしていないと判断した場合（縦センサ３８と横センサ３９の状態が図５のブロック２０１に示される状態の場合であって、上部筐体１が下部筐体２に対して軸１１ａを中心に正しく開放された場合）、ステップＳ３において、この携帯電話機を通話モードに設定する。すなわち、このとき、ＣＰＵ３３は、操作部７または操作ボタン９からの入力に基づいて、通信部３１を制御し、所定の相手に対する発呼動作や着呼動作を実行させる。また、このとき、ＣＰＵ３３は、ユーザからの指令に基づいてメールの送信または受信動作も実行する。従って、この通話モードにおいては、従来の携帯電話機における場合と同様の機能が実行される。
【００４３】
そして、この通話モードが設定されたとき、ＣＰＵ３３は、ステップＳ４において、表示制御部３２および操作部７を制御し、文字や画像を携帯電話機を縦長にした場合に正しく視認できる方向に（上部筐体１が下部筐体２に対して軸１１ａを中心に開放された場合において、下部筐体２を下に配置し、かつ上部筐体１を上に配置したとき、ユーザが正しく視認することができる方向に）表示させる。
【００４４】
図６は、この場合における表示部４の電話番号の表示の例を示し、図７は、受信したメールの文字の表示例を示している。また、ＣＰＵ３３は、操作部７のＬＣＤ３６に、後述する図９に示されるように、操作キーを通話モード用に表示させる。
【００４５】
この通話モードは、ステップＳ５において、ＣＰＵ３３により、縦センサ３８がオンした（上部筐体１が下部筐体２に対して閉じられた）と判断されるまで継続され、縦センサ３８がオンしたと判断された場合、ステップＳ６において、ＣＰＵ３３は、表示制御部３２および操作部７を制御し、表示部４および操作部７のＬＣＤ３６の表示画面を消去させ、処理を終了する。
【００４６】
ステップＳ２において、横センサ３９がオフしたと判断された場合（縦センサ３８と横センサ３９の状態が図５のブロック２０２に示される状態の場合）、ステップＳ１において、横センサ３９もオフしているので、結局この場合は、携帯電話機が分解されてしまった状態（正常ではない使用状態）ということになる。そこでこの場合、ステップＳ７において、ＣＰＵ３３は、表示部４と操作部７のＬＣＤ３６の画面の表示を禁止し、処理を終了する。
【００４７】
一方、ステップＳ１において、ＣＰＵ３３は、縦センサ３８がオフしていないと判断した場合（オンしていると判断した場合）、ステップＳ８に進む。
【００４８】
ステップＳ８において、ＣＰＵ３３は、横センサ３９がオフしたか否かを判断する（ステップＳ２と同様の処理）。
【００４９】
ＣＰＵ３３は、ステップＳ８において、横センサ３９がオフしたと判断した場合（縦センサ３８と横センサ３９の状態が図５のブロック１０２に示される状態の場合であって、上部筐体１が下部筐体２に対して軸１１ｂを中心に正しく開放された場合）、ステップＳ９において、この携帯電話機をメールモードに設定する。すなわち、このとき、ＣＰＵ３３は、ユーザからの指令に基づいてメールの送信または受信動作、あるいはインターネット上の画像やゲームなどの受信動作を実行する。また、このとき、ＣＰＵ３３は、発呼動作を禁止させているので、発呼動作に関する操作部７または操作ボタン９の操作は無効とされる。
【００５０】
なお、メールモードにおいても、着呼動作は禁止されない。メールモードにおいて着呼が受け付けられたとき、ユーザは、上部筐体１を下部筐体２に対して一旦閉じた状態にした後、軸１１ａを中心に回動することにより再び開放する。これにより、上述した通話モードが設定され、通常の通話が可能となる。
【００５１】
メールモードが設定されたとき、ＣＰＵ３３は、ステップＳ１０において、表示制御部３２および操作部７を制御し、文字や画像を携帯電話機を横長にした場合に正しく視認できる方向に（上部筐体１が下部筐体２に対して軸１１ｂを中心に開放された場合において、下部筐体２を下に配置し、かつ上部筐体１を上に配置したとき、ユーザが正しく視認することができる方向に）表示させる。
【００５２】
図８は、このメールモード時における受信したメールの文字の表示例を示している。また、ＣＰＵ３３は、メールモード時においては、操作部７のＬＣＤ３６に、後述する図１０に示されるように、操作キーを表示させる。
【００５３】
このメールモードは、ステップＳ１１において、ＣＰＵ３３により、横センサ３９がオンした（上部筐体１が下部筐体２に対して閉じられた）と判断されるまで継続され、横センサ３９がオンしたと判断された場合、ステップＳ１２において、ＣＰＵ３３は、表示制御部３２および操作部７を制御し、表示部４および操作部７のＬＣＤ３６の表示画面を消去させ、処理を終了する。
【００５４】
ステップＳ８において、横センサ３９がオフしていない（オンしている）と判断された場合（縦センサ３８と横センサ３９の状態が図５のブロック１０１に示される状態の場合）、ステップＳ１において、横センサ３９もオフしていない（オンしている）ので、結局この場合は、携帯電話機が閉じられている状態（図２Ａの状態）ということになる。そこでこの場合、ステップＳ１３において、ＣＰＵ３３は、表示部４と操作部７のＬＣＤ３６の画面の表示を禁止し、処理を終了する。
【００５５】
以上のように、携帯電話機の開閉状態を縦センサ３８および横センサ３９が検知し、その検知結果によって、表示部４および操作部７のＬＣＤ３６の表示方向が変更される。
【００５６】
次に、図９を参照して、通話モードにおける操作キーの表示を説明する。
【００５７】
まず、図９において、マイクロフォン８を下側にするように操作部７を見て、操作部７のＬＣＤ３６の左上の操作キーの位置を位置ａａとする。位置ａａの左から順に、位置ａｂ，位置ａｃ，位置ａｄとする。位置ａａの下の位置ｂａの左から順に、位置ｂｂ，位置ｂｃ，位置ｂｄとし、位置ｂａの下の位置ｃａの左から順に、位置ｃｂ，位置ｃｃ，位置ｃｄとし、並びに、位置ｃａの下の位置ｄａの左から順に、位置ｄｂ，位置ｄｃ，位置ｄｄとする。この位置は、通話モード時においても、また、メールモード時においても共通とされる。
【００５８】
ＣＰＵ３３は、図４のステップＳ３において、通話モードを設定したとき、ステップＳ４において、操作部７を制御し、操作部７のＬＣＤ３６の操作キーを、図９に示されるように、通話モード用に（文字や画像を携帯電話機を縦長に開放した場合に正しく視認できる方向に）表示させる。このとき、ＬＣＤ３６の操作キーの表示に基づいて、ＣＰＵ３３は、上記の位置（座標）に、以下に説明するように各操作キーを割り当てる。
【００５９】
図９に示されるように、通話モードにおいては、左上段から順に、位置ａａの操作キーには、数字モードで「１」、ひらがな／漢字モードで「あ」行、英字モードで「．」、「＠」、「／」および「：」が割り当てられ、位置ａｂの操作キーには、数字モードで「２」、ひらがな／漢字モードで「か」行、英字モードで「Ａ」、「Ｂ」、および「Ｃ」が割り当てられ、位置ａｃの操作キーには、数字モードで「３」、ひらがな／漢字モードで「さ」行、英字モードで「Ｄ」、「Ｅ」、および「Ｆ」が割り当てられ、位置ａｄの操作キーには、「モード切り替え」操作キーが割り当てられる。この「モード切り替え」操作キーは、ひらがな／漢字モード、英字モードあるいは数字モードを順次切り替えるための操作キーである。
【００６０】
上から２番目の段では、左から順に、位置ｂａの操作キーには、数字モードで「４」、ひらがな／漢字モードで「た」行、英字モードで「Ｇ」、「Ｈ」および「Ｉ」が割り当てられ、位置ｂｂの操作キーには、数字モードで「５」、ひらがな／漢字モードで「な」行、英字モードで「Ｊ」、「Ｋ」、および「Ｌ」が割り当てられ、位置ｂｃの操作キーには、数字モードで「６」、ひらがな／漢字モードで「は」行、英字モードで「Ｍ」、「Ｎ」、および「Ｏ」が割り当てられ、位置ｂｄの操作キーには、「→（右向き矢印）」操作キーが割り当てられる。この「→」操作キーは、メール作成時において、編集する文字を変更する場合、カーソルを１文字分右へ移動させるために使用される操作キーである。
【００６１】
上から３番目の段では、左から順に、位置ｃａの操作キーには、数字モードで「７」、ひらがな／漢字モードで「ま」行、英字モードで「Ｐ」、「Ｑ」、「Ｒ」および「Ｓ」が割り当てられ、位置ｃｂの操作キーには、数字モードで「８」、ひらがな／漢字モードで「や」行、英字モードで「Ｔ」、「Ｕ」、および「Ｖ」が割り当てられ、位置ｃｃの操作キーには、数字モードで「９」、ひらがな／漢字モードで「ら」行、英字モードで「Ｗ」、「Ｘ」、「Ｙ」および「Ｚ」が割り当てられ、位置ｃｄの操作キーには、「←（左向き矢印）」操作キーが割り当てられる。この「←」操作キーは、メール作成時において、編集する文字を変更する場合、カーソルを１文字分左へ移動させるために使用される操作キーである。
【００６２】
一番下の段では、左から順に、位置ｄａの操作キーには、数字モードで「＊」、ひらがな／漢字モードで「濁音」および「半濁音」が割り当てられ、位置ｄｂの操作キーには、数字モードで「０」、ひらがな／漢字モードで「わ」行、英字モードで「スペース（＿）」が割り当てられ、位置ｄｃの操作キーには、数字モードで「＃」、ひらがな／漢字モードで「リターン（rtn）」操作キーが割り当てられ、位置ｄｄには、「クリア」操作キーが割り当てられる。この「クリア」操作キーは、文字を削除するときに使用される操作キーである。
【００６３】
なお、この携帯電話機は、文字入力モードとして、ひらがな／漢字モード、英字モードおよび数字モードの３種類のモードを有している。さらに、ひらがな／漢字モードの場合、例えば、「あ」行が割り当てられている位置の操作キー「１」を１回押すと、「あ」が入力される。同様に、操作キー「１」を２回押すと、「い」が入力され、操作キー「１」を３回押すと、「う」が入力され、操作キー「１」を４回押すと、「え」が入力され、操作キー「１」を５回押すと、「お」が入力される。このように、ひらがな／漢字モードの場合、押す回数によって、その操作キーに割り当てられている行の１文字が予め設定されている。そして、「→」操作キーを押すことにより、次の文字の入力が準備される。
【００６４】
したがって、この通話モードにおいて、例えば、ひらがな／漢字モードで「こんにちは」というメール文章を作成する場合、ユーザは、「こ」を入力するために、位置ａｂの操作キー「２」を５回押す。このとき、タッチパッド３７は、位置ａｂが５回操作されたことをＣＰＵ３３に通知し、ＣＰＵ３３は、ＬＣＤ３６に表示された通話モード用の操作キーの座標に基づいて、「こ」を表示部４に表示させる。その後、ユーザにより位置ｂｄの「→」操作キーが押されると、ＣＰＵ３３は、次の文字の入力ができるように、ＬＣＤ３６のカーソルを右へ１つ移動させる。
【００６５】
同様に、ＣＰＵ３３は、ユーザにより位置ｄｂの操作キー「０」が３回押されたとき、「ん」を表示させ、ユーザにより位置ｂｄの「→」操作キーが押されると、ＬＣＤ３６のカーソルを右へ１つ移動させ、次に、ユーザにより位置ｂｂの操作キー「５」が２回押されたとき、「に」を表示させ、ユーザにより位置ｂｄの「→」操作キーを押されると、ＬＣＤ３６のカーソルが右へ１つ移動させる。以下、同様に、ユーザにより位置ｂａの操作キー「４」が２回押されたとき、「ち」が表示され、ユーザにより位置ｂｄの「→」操作キーが押されると、ＬＣＤ３６のカーソルが右へ１つ移動され、次に、ユーザにより位置ｂｃの操作キー「６」が１回押されたとき「は」が表示される。このようにして、文字が入力され、「こんにちは」の文章が作成され、表示部４に表示される。
【００６６】
一方、メールモードにおける操作キーは、図１０に示されるように割り当てられる。尚、図１０において、図９における場合と対応する機能の説明は繰り返しになるので省略する。
【００６７】
ＣＰＵ３３は、図４のステップＳ９において、メールモードを設定したとき、ステップＳ１０において、操作部７を制御し、操作部７のＬＣＤ３６の操作キーをメールモード用に（文字や画像を携帯電話機を横長に開放した場合に正しく視認できる方向に）表示させる。このとき、ＬＣＤ３６の操作キーの表示に基づいて、ＣＰＵ３３は、上記の座標（位置）に各操作キーを、図１０に示されるように割り当てる。なお、図１０は、マイクロフォン８を下側にするように操作部７を見た図であり、文字が横を向いて表示されているが、ユーザが実際に使用する時には、携帯電話機を横長に開放して使用するので、表示文字は、ユーザに対して正しい向きになる。
【００６８】
すなわち、メールモード時においては、左上段から順に、位置ａａには、「モード切り替え」操作キーが割り当てられ、位置ａｂには、「→」操作キーが割り当てられ、位置ａｃには、「←」操作キーが割り当てられ、位置ａｄには、「クリア」操作キーが割り当てられる。
【００６９】
上から２番目の段では、左から順に、位置ｂａの操作キーには、数字モードで「３」、ひらがな／漢字モードで「さ」行、英字モードで「Ｄ」、「Ｅ」、および「Ｆ」が割り当てられ、位置ｂｂの操作キーには、数字モードで「６」、ひらがな／漢字モードで「は」行、英字モードで「Ｍ」、「Ｎ」、および「Ｏ」が割り当てられ、位置ｂｃの操作キーには、数字モードで「９」、ひらがな／漢字モードで「ら」行、英字モードで「Ｗ」、「Ｘ」、「Ｙ」および「Ｚ」が割り当てられ、位置ｂｄの操作キーには、数字モードで「＃」、ひらがな／漢字モードで「リターン（rtn）」操作キーが割り当てられる。
【００７０】
上から３番目の段では、左から順に、位置ｃａの操作キーには、数字モードで「２」、ひらがな／漢字モードで「か」行、英字モードで「Ａ」、「Ｂ」、および「Ｃ」が割り当てられ、位置ｃｂの操作キーには、数字モードで「５」、ひらがな／漢字モードで「な」行、英字モードで「Ｊ」、「Ｋ」、および「Ｌ」が割り当てられ、位置ｃｃの操作キーには、数字モードで「８」、ひらがな／漢字モードで「や」行、英字モードで「Ｔ」、「Ｕ」、および「Ｖ」が割り当てられ、位置ｃｄの操作キーには、数字モードで「０」、ひらがな／漢字モードで「わ」行、英字モードで「スペース（＿）」が割り当てられる。
【００７１】
一番下の段では、左から順に、位置ｄａの操作キーには、数字モードで「１」、ひらがな／漢字モードで「あ」行、英字モードで「．」、「＠」、「／」および「：」が割り当てられ、位置ｄｂの操作キーには、数字モードで「４」、ひらがな／漢字モードで「た」行、英字モードで「Ｇ」、「Ｈ」および「Ｉ」が割り当てられ、位置ｄｃの操作キーには、数字モードで「７」、ひらがな／漢字モードで「ま」行、英字モードで「Ｐ」、「Ｑ」、「Ｒ」および「Ｓ」が割り当てられ、位置ｄｄの操作キーには、数字モードで「＊」、ひらがな／漢字モードで「濁音」および「半濁音」が割り当てられる。
【００７２】
このメールモードにおいて、例えば、ひらがな／漢字モードで「こんにちは」というメール文章を作成する場合、ユーザは、「こ」を入力するために、位置ｃａの操作キー「２」を５回押す。このとき、タッチパッド３７は、位置ｃａが５回操作されたことをＣＰＵ３３に通知し、ＣＰＵ３３は、ＬＣＤ３６に表示されたメールモード用の操作キーの座標に基づいて、「こ」を表示部に表示させる。その後、ユーザにより位置ａｂの「→」操作キーが押されると、ＣＰＵ３３は、次の文字の入力ができるように、ＬＣＤ３６のカーソルを右へ１つ移動させる。
【００７３】
同様に、ＣＰＵ３３は、ユーザにより位置ｃｄの操作キー「０」が３回押されたとき、「ん」を表示させ、ユーザにより位置ａｂの「→」操作キーが押されると、ＬＣＤ３６のカーソルを右へ１つ移動させ、次に、ユーザにより位置ｃｂの操作キー「５」が２回押されたとき、「に」を表示させ、ユーザにより位置ａｂの「→」操作キーが押されると、ＬＣＤ３６のカーソルを右へ１つ移動させる。同様に、ユーザにより位置ｄｂの操作キー「４」が２回押されたとき、「ち」が表示され、ユーザにより位置ａｂの「→」操作キーが押されると、ＬＣＤ３６のカーソルが右へ１つ移動され、次に、ユーザにより位置ｂｂの操作キー「６」が１回押されたとき「は」が表示される。このように、文字が入力され、「こんにちは」の文章が作成され、表示部４に表示される。
【００７４】
図９と図１０の文字入力の例を比較して明らかなように、同じ文字を入力する場合にも、操作される操作キー（操作位置）は異なるものとなる。
【００７５】
このように、携帯電話機の開閉状態を縦センサ３８および横センサ３９が検知し、その検知結果によって、モードが設定され、その設定されたモードに基づいて、操作キーの位置が割り当てられるので、ユーザは、操作部７の縦、横を気にすることなく、表示どおり、簡単に文字を入力することができる。すなわち、ユーザは、表示部４を上にして持った場合、携帯電話機を縦長（通話モード）に開いても横長（メールモード）に開いても、左上に、数字モードで「１」、ひらがな／漢字モードで「あ」行、英数字モードで「．」、「＠」、「／」および「：」のキーを必ず見ることができる（その表示位置は、縦長の場合、位置ａａであり、横長の場合、位置ｄａである）。
【００７６】
以上のように、通話時において、携帯電話機を、通話しやすい形態である縦長に開くことにより会話を楽しむことができ、メール送受信時において、携帯電話機を、文字の読みやすい形態である横長に開くことによりメールをじっくり読み書きすることができる。さらに、携帯電話機を横長に開いた場合にも、縦長に開いた場合と同様の操作感覚で文字を入力することができる。
【００７７】
以上、本発明を携帯電話機に適用した場合を例としたが、本発明は、ＰＤＡ(Personal Digital Assistants)など、その他の携帯型情報処理装置に適用することが可能である。
【００７８】
【発明の効果】
以上の如く、本発明によれば、携帯型情報処理装置を開く方向を変えることによって、例えば、メールを読み書きする場合など、用途に応じて使いやすくすることができる。
【図面の簡単な説明】
【図１】本発明を適用した携帯電話機の外観の構成例を示す図である。
【図２】図１の携帯電話機の使用例を説明する図である。
【図３】図１の携帯電話機の電気的な構成例を示すブロック図である。
【図４】図１の携帯電話機の表示方向判定処理を説明するフローチャートである。
【図５】図１の携帯電話機の表示方向判定の方法を説明する図である。
【図６】通話モードの表示画面の例を示す図である。
【図７】通話モードの表示画面の他の例を示す図である。
【図８】メールモードの表示画面の例を示す図である。
【図９】通話モードの操作画面の例を示す図である。
【図１０】メールモードの操作画面の例を示す図である。
【符号の説明】
１  上部筐体，２  下部筐体，３ａ，３ｂ  ヒンジ，４  表示部，７  操作部，１１ａ，１１ｂ  軸，１２ａ，１２ｂ  軸通し部，１３ａ，１３ｂ  ロックツメ，１４ａ，１４ｂ  ロック穴，３２  表示制御部，３３  ＣＰＵ，３６  ＬＣＤ，３７  タッチパッド，３８  縦センサ，３９  横センサ
【図１】
0004517551.tif 000002
【図２】
0004517551.tif 000003
【図３】
0004517551.tif 000004
【図４】
0004517551.tif 000005
【図５】
0004517551.tif 000006
【図６】
0004517551.tif 000007
【図７】
0004517551.tif 000008
【図８】
0004517551.tif 000009
【図９】
0004517551.tif 000010
【図１０】
0004517551.tif 000011